(57)【特許請求の範囲】
【請求項１】
料金を受け付けて、スプレー銃から各種洗浄液を噴射することにより車両の洗浄を行うタイプのスプレー式洗車機において、
噴射される洗浄液の種類、時間、及び順序が料金毎にそれぞれ異なる複数の洗車コースが設けられ、各洗車コース毎に設けられた洗車コース選択キーが選択されることにより所定シーケンスに基づき各洗浄液が噴射されるオートモードと、
料金と各洗浄液の合計噴射時間だけが規定され、各洗浄液毎に設けられた洗浄液選択キーが選択される度に選択された洗浄液が前記合計噴射時間内で任意に切り替え噴射されるフリーモードと、
が併設されていることを特徴とするスプレー式洗車機。
【請求項２】
前記スプレー銃には、フリーモード実行時のみ有効となる無線式の遠隔洗浄液選択手段が設けられていることを特徴とする請求項１記載のスプレー式洗車機。
【請求項３】
オートモード実行時には、各洗浄液の噴射可能残時間が表示され、フリーモード実行時には、全洗浄液の合計噴射残時間が表示される残時間表示器が設けられていることを特徴とする請求項１又は２記載のスプレー式洗車機。
【発明の詳細な説明】
【０００１】
【産業上の利用分野】
この発明は、コイン洗車場などに設置され、現金やプリペイドカードなどの料金を受け付けて、スプレー銃により、各種洗浄液を車両に噴射して、洗車を行うスプレー式洗車機に関する。
【０００２】
【従来の技術】
従来、有料式のスプレー洗車機では、洗浄液の種類、各洗浄液の噴射時間、及び噴射順序を、予めオーナーが洗車料金に応じ設定した複数の洗車コースからなる所謂オートモードが設けられており、そして、洗車客はその用意されたオートモードの中から希望する洗車コースを選び、洗車を行っていた。
また、特開昭６３−１０４１９７では、予めオーナーが各洗浄液の噴射単位時間当たりの金額を設定し、洗車客に噴射する洗浄液を任意に選択させ、前もって投入しておいた金額から減算していくような装置洗車機が開示されている。
さらにまた、特開平１０−２９３８８５では、オートモードと、予めオーナーが各洗浄液の噴射単位時間当たりの金額を設定し、洗車客に噴射する洗浄液、噴射時間、及び順序を選択させ、それに見合った料金を徴収し、洗車を行わせるオリジナル洗車コースとを併設した洗車機が開示されている。
【０００３】
【発明が解決しようとする課題】
しかしながら、オートモードを備えただけの洗車機では洗車客は用意された洗車コースしか選択できず、本来洗車客が希望する洗車コースがない場合でも仕方なく希望に近い洗車コースを選択して洗車を行っていた。よって時には洗車が不完全の状態で終了することもあり、この場合には、再度、同じ若しくは別の洗車コースを選択し、洗車を完了させることが見られた。この場合、余計な洗浄液を噴射することになり、２度手間になったり、余分に料金を投入しなければならなくなったりして、時間的にも金額的にも大変不経済であった。
また、特開昭６３−１０４１９７のような洗車機では、確かに洗車客が希望するような洗車を行うことは可能であるが、いつでも洗浄液の切り替えができ、好きなだけ洗浄液を使用することができるため、つい洗車に夢中になってしまった場合などには、必要以上に洗浄液を使いすぎて、思わぬ料金がかかってしまうことが考えられる。さらにこの洗車機では、洗浄液が噴射される時間に従って、予め投入しておいた料金から洗浄液使用料金分を差し引いた残料金もしくはプリペイドカードから使用度数分を差し引いた残度数を表示器に随時表示させるものが開示されているが、当然洗浄液により単価が異なるため、残料金又は残度数の減少の仕方が常に一定ではなく、変化するもので、洗車客には各洗浄液を噴射する時間配分ができず、そのため時間的にあとどれぐらいで洗車を終了させないといけないのかわからず、洗車が不完全なまま終了してしまうことも考えられる。
さらにまた、特開平１０−２９３８８５のような洗車機では、オートモードの他にオリジナル洗車コースなるものを備えているおり、このオリジナル洗車コースでは洗車客自身が洗車開始前に車両の汚れ具合を見て、洗浄液の種類、噴射時間、順序を決定し、洗車を行うようになっているが、洗車客がいつも異なる車両の汚れ具合からオリジナル洗車コースを作り上げていくのは困難であり、必要な洗浄液が途中で終了してしまったり、逆に終了してもよい洗浄液が噴射され続けたりすることが考えられ、やはり充分な洗車を行うには不十分であった。
【０００４】
【課題を解決するための手段】
この発明は、料金を受け付けて、スプレー銃から各種洗浄液を噴射することにより車両の洗浄を行うタイプのスプレー式洗車機において、噴射される洗浄液の種類、時間、及び順序が料金毎にそれぞれ異なる複数の洗車コースが設けられ、各洗車コース毎に設けられた洗車コース選択キーが選択されることにより所定シーケンスに基づき各洗浄液が噴射されるオートモードと、料金と各洗浄液の合計噴射時間だけが規定され、各洗浄液毎に設けられた洗浄液選択キーが選択される度に選択された洗浄液が前記合計噴射時間内で任意に切り替え噴射されるフリーモードと、が併設されているスプレー式洗車機を提供することを要旨とするものである。
また、前記スプレー銃に、フリーモード実行時のみ有効となる無線式の遠隔洗浄液選択手段を設けるとより好ましい。
また、オートモード実行時には、各洗浄液の噴射可能残時間が表示され、フリーモード実行時には、全洗浄液の合計噴射残時間が表示される残時間表示器を設けるとより好ましい。
【０００５】
【作用】
複数種の洗車コースからなるオートモードと、時間内であれば自由に洗浄液を切り替え噴射できるフリーモードとを１台の洗車機に設けたので、従来からあるオートモードにて洗車を希望する客はオートモードのうちの１つの洗車コースを選択すればよく、車両の汚れ具合がいつもと違っていたり、ワックスを充分に利かせたかったりする場合には、洗浄液を自由に切り替えて洗車ができるオートモードが選択できる。また、フリーモードを選択した場合には、スプレー銃に無線式の遠隔洗浄液選択手段が設けてあるので、洗車の手を休めることなく、手元で洗浄液を適宜切り替えできる。さらに、どちらのコースを選択しても、残時間表示器に洗車可能時間が表示されているので、オートモードを選択した洗車客は、各洗浄液の噴射可能時間を確認しながら洗車ができ、フリーモードを選択した洗車客は各洗浄液の噴射時間配分を考え、自由に洗浄液を切り替えて洗車ができる。
【０００６】
【実施例】
以下、図に基づき本発明の一実施例を詳細に説明する。
【０００７】
図１は本発明の一実施例を示す全体構成図で、１は本発明を実施するための本体装置を示し、本体１内にはそれぞれ水、洗剤、ワックスを貯留したタンク２、３、４が備えられており、各タンク２、３、４からポンプ５へは洗浄水を切り換えるための電磁弁６、７、８を介した管路９、１０、１１が連通している。さらにポンプ５の吐出側には洗浄水を噴射するためのスプレー銃１２を備えた高圧ホース１３が接続されている。
【０００８】
１４は洗車客が使用する操作パネルで、図２の操作パネル正面図に示すように、１５はカードリーダライタのカード挿入口、１６は硬貨投入口、１７は硬貨払い戻しレバー、１８は硬貨返却口、１９は投入金額や残高及びプリペイドカードの度数を金額換算して表示する金額表示器、２０はオートモードとして予めオーナーが設定した洗車コースＡ、Ｂ、Ｃ、Ｄを選択する洗車コース選択キー、２１はフリーモードとして洗車中に洗浄液の種類を選択する洗浄液選択キー、２２、２３はオートモード、フリーモードのそれぞれの洗車を開始したり、洗車中一時停止させるためのスタート／一時停止キー、２４はオートモード選択時には洗浄液毎の残時間を表示し、フリーモード時は全洗浄液の合計噴射残時間を表示する洗車残り時間表示器、２５は洗車中一時停止した場合にその残時間を表示する一時停止残り時間表示器、２６は洗車が開始されると現在の洗浄液の種類を点灯又は点滅表示するＬＥＤで構成された液種表示器である。
【０００９】
２７は本体内に設けられた設定器で、オーナーが予めオートモードにおける各洗車コース及びフリーモードの各使用料金・時間等を設定する料金設定手段や、その他オーナーが洗浄装置の様々な設定を行うための設定手段を備えたものである。
【００１０】
２８は設定器２７及び操作パネル１４からの入力を受け、各電磁弁６、７、８、ポンプ５、各表示器２４、２５、２６、金銭取扱装置、カードリーダライタ等を制御するためのマイクロコンピュータからなる制御手段である。
【００１１】
２９はスプレー銃の手元に固定された洗浄液を遠隔的に切り替えるための遠隔洗浄液選択手段で、図３に示すように、操作パネル１４の洗浄液選択キー２１と同じ信号を出力する水洗・洗剤・ＷＡＸ・開始／停止の４つの洗浄液選択キー３０が遠隔洗浄液選択手段２９上に設けられ、内部の送信機により洗浄液選択キー３０からの信号を無線で装置本体１の受信機に送信できるようになっている。
【００１２】
以下、実施例の動作について図に基づき説明する。
【００１３】
ここでの説明は、オートモードにおける洗車は従来周知であるため、フリーモードによる洗車を行う場合の説明をする。
【００１４】
洗車客が硬貨かカードを投入すると、制御手段２８ではその投入金額を金額表示器１９に表示させる。次に操作パネル１４の洗浄液選択キー２１の水洗いキーもしくは遠隔洗浄液選択手段２９の水洗キー３０が押されると、制御手段２８ではその信号を受け、洗車残り時間表示器２４に全洗浄液の合計噴射残時間（ここでは５分）を表示し、液種表示器２６の水洗いＬＥＤを点灯させる。さらに洗車客がスプレー銃１２を車両に向け構え、遠隔洗浄液選択手段２９の開始／停止キーを押すと、制御手段２８では電磁弁６を開放し、ポンプ５を駆動して高圧水をスプレー１２銃より噴射させると共に洗車残り時間表示器２４に表示していた残時間を減算していく。
【００１５】
そして、今回の洗車を高圧水による予備洗浄だけで済ますのであれば、このままの状態で残時間いっぱいまで使い切れば良い。
【００１６】
また、高圧水による予備洗浄後洗剤を噴霧し手洗いした後、最後に高圧水で汚れと共に洗剤を洗い流すのであれば、先程の水洗終了後、遠隔洗浄液選択手段２９の洗剤キー３０を押す。すると制御手段２８では、今まで点灯させていた液種表示器２６の水洗いＬＥＤの代わりに洗剤ＬＥＤを点灯させ、電磁弁６を閉じ、代わりに電磁弁７を開放し、スプレー銃１２から洗剤を噴射させる。この時、洗車客は洗車残り時間表示器２４であとどれくらい洗車ができるかを見ておき、最後の高圧水の噴射時間を確保して洗剤噴射を行う。やがて洗剤噴射が終了したら、手洗いを行うために遠隔洗浄液選択手段２９の停止／開始キー３０を押す。すると制御手段２８では、今まで点灯していた液種表示器２６の洗剤ＬＥＤを点滅状態にし、洗車残り時間表示器２４の残時間を表示したまま停止させ、代わりに一時停止残り時間表示器２５に残時間を減算表示させていき、さらに電磁弁７を閉じ、ポンプ５の駆動を停止して待機状態とする。この間に洗車客は手洗いを行い、手洗いが終了したら、遠隔洗浄液選択手段２９の水洗キーを押す。すると制御手段２８では、一時停止残り時間表示器２４の表示を消灯し、停止していた洗車残り時間表示器２４の残時間の減算を再開させ、点滅させていた液種表示器の洗剤ＬＥＤの代わりに水洗いＬＥＤを点灯させ、電磁弁６を開き、ポンプ５を駆動して再び高圧水を噴射する。洗車客はこの高圧水による仕上げを残時間いっぱいまで行い洗車を終了する。
【００１７】
さらに、手洗い水洗の後、ワックスまで噴射させるのであればそれを見越してワックスを噴射する時間を残して手洗い水洗した後、遠隔洗浄液選択手段２９のＷＡＸキー３０を押す。すると制御手段２８では、それまで点灯していた液種表示器２６の水洗ＬＥＤを消灯し、ワックスＬＥＤを点灯させ、電磁弁６を閉じ、代わりに電磁弁８を開放し、スプレー銃１２からワックスを噴射させる。洗車客はこのワックス噴射を残時間いっぱいまで行い洗車を終了する。
【００１８】
このようにしてフリーモードでの洗車を行うのであるが、洗車客によっては、洗剤だけ、ワックスだけ、洗剤とワックスだけ、高圧水とワックスだけというような上記以外の使い方を希望する場合もあるが、本装置では時間内であれば、どの洗浄液を使用することも何回切り替えをすることも規制していないので、全ての場合に対応できるようになっているものである。
【００１９】
ところで、本装置は単体の装置の例を示してあるが、これにこだわるものではなく、洗車客が操作する複数の操作端末と１つの本体装置とからなるシステム洗車機に用いても実施できるものであることはいうまでもない。
【００２０】
【発明の効果】
以上のように本発明は、従来からあるオートモードと時間内であればどの洗浄液を何回でも使用できるフリーモードとを併設したスプレー式洗車機としたので、洗車客の様々な使用形態にも対応できるものであり、また、併設してあることにより、別の洗車機とするよりも、製造コストが安価にでき、また洗車機オーナーにとっては、集計業務などが一括して行え、非常に便利なものとなる。
また、フリーモードは料金と各洗浄液の合計噴射時間だけを規定したものとしてあるので、料金を前払いして使用した洗浄液の時間に応じ減算していく洗車機のように、洗車に夢中になるうち、洗車料金がどんどん嵩んでいくことがなくなり、予めどの洗浄液をどれくらいの時間噴射するかを予測して行う洗車機のように、洗車途中車両の洗浄状況が変わっても洗浄液を切り替えることができず無駄に洗浄液を噴射してしまうということもなくなる。
また、フリーモードでの洗車では、洗浄液の切り替えがスプレー銃に設けた遠隔洗浄液選択手段で行え、車両の洗浄状況に合わせ、迅速に洗浄液の切り替えができ、効率の良い洗車が可能となる。
また、洗車残時間表示器が設けてあるので、オートモードを選択した洗車客は、各洗浄液の噴射可能時間を確認しながら洗車ができ、フリーモードを選択した洗車客は残時間を洗車途中で確認し、残時間をどの洗浄液でどんなペースで洗車すればよいかを素速く把握でき、非常に自由度の高い洗車が可能となる。
【図面の簡単な説明】
【図１】本発明の一実施例である装置の全体構成図である。
【図２】同装置の操作パネル正面図である。
【図３】同装置の遠隔洗浄液選択手段の平面図である。
【符号の説明】
１  スプレー式洗車機本体
１２  スプレー銃
１４  操作パネル
２０  洗車コース選択キー
２１  洗浄液選択キー
２４  洗車残り時間表示器
２５  一時停止残り時間表示器
２６  行程表示器
２８  設定器
２９  遠隔洗浄液選択手段
３０  洗浄液選択キー
【図１】
0004583677.tif 000002
【図２】
0004583677.tif 000003
【図３】
0004583677.tif 000004